(57)【要約】【課題】子機と親機間で音声通話をする時に、ハウリング、エコー等によって音声が聞きにくくなることを防止する。【解決手段】子機のスピーカーをイヤフォンとし、通常は補聴機能を持たせ、音声通話時は、外部への濾話を防止することで、ハウリング、エコーを防止するとともに、聴力をアシストすることができる。【選択図】  図１
2004185563.tif 000002
【特許請求の範囲】
【請求項１】
マイクロフォンとイヤフォンと無線通信手段と緊急発報手段を備え、利用者が緊急時に前述の緊急発報手段の操作で無線通信で緊急情報を伝達する安全ペンダントで、利用者の声は内蔵マイクロフォンで取得し、利用者の受話はイヤフォンで行うハンズフリー通話手段を備え、平常時は内蔵マイクロフォンで周囲音を集音し、イヤフォンに集音した音を出力する捕聴機能を有するペンダント型緊急通報装置。
【請求項２】
緊急信号発報後、通常時の音声、または音楽音を一時的に小音量にする請求項１記載のペンダント型緊急通報装置。
【請求項３】
メモリーカードスロット又はラジオ受信機内蔵し、通常時は音楽再生器又はラジオ受信機として動作する請求項１記載のペンダント型緊急通報装置。
【請求項４】
緊急通報ペンダントと親機間の距離が通信許容範囲を超えた場合安全ペンダントに通信範囲をはずれたことを通報する請求項１記載のペンダント型緊急通報装置。
【発明の詳細な説明】
【０００１】
【発明の属する技術分野】
本発明は、利用者（高齢者、病弱者等）に常備携帯してもらい、家庭内で体調が悪くなった時等に操作し、家人に体調不良を知らせるペンダント型緊急通報装置に関する物である。
【０００２】
【従来の技術】
従来の呼び出し装置は、ボタンの操作で呼び出し子機から親機を単行で呼び出す物がほとんどで、形状も大きく、据え置きして利用する物がほとんどである（例えば特許文献１参照）。
【０００３】
【特許文献１】
特開昭５２−１１１７１７号公報
【０００４】
【発明が解決しようとする課題】
一般に、ペンダント形状の発報器の場合、ペンダント形状という制約から、発報器自体の大きさを大きくすることができず。発報器にマイクロフォンとスピーカーを共存させると、マイクロフォンとスピーカーが近接していることで、スピーカーの音をマイクロフォンが拾ってしまい、受信機側でも音声のフィードバックが発生すると同様の現象によりエコーが発生し、更には受信側の状況によっては、ハウリング等の現象を引き起こすことはよく知られている。これを防止するには、音声のループを発生させないように送信側、受信側で  エコーキャンセラー２２を使うか、送信側、受信側で音声ループが出来ないようにヘッドセット（マイクとイヤフォンの一体物）を使う等の方法が考えられる。しながら送信側（発報器側）は、通常生活者であり、ヘッドセットを着けての生活は制約があり、自然なハンズフリーの通話環境を提供する必要がある。もう一つの方法として、エコーキャンセラー２２を取り付ける方法があるが、エコーキャンセラー２２は高価で形状が大きく、ペンダント型発報器には組み込むことは困難であった。
【０００５】
【課題を解決するための手段】
前記従来の課題を解決するために、本発明の緊急通報ペンダント、マイクロフォン（以後マイク略す）とイヤフォンと無線通信手段と緊急発報手段を備え、平常時はマイクで集音した周囲の音を増幅しイヤフォンを経由して利用者に伝える。体調が悪い動けないなどの緊急時に前述の緊急発報手段の操作で無線通信で緊急情報を伝達する緊急通報ペンダントで、緊急時には、周囲音の補聴機能ではなく親機からの無線通信による音声の受信を行う物である。緊急通報ペンダントからの送話は内蔵マイクで、親機からの受話はイヤフォンで行うことで、ハンズフリー通話機能を備えたもので、平常時には聴力低下を補う補聴器として動作し、緊急時には、家人と通話して緊急状況を伝えるハンズフリー双方向通話をもった通報器として動作する物である。
【０００６】
【発明の実施の形態】
請求項１の発明は、通常時（健康時）には緊急通報ペンダントの内部マイクで集音し、内部の音声増幅手段によって音量を増幅し、内蔵のスピーカーかイヤフォン（ここではイヤフォン）で、増幅された集音を聞かせることで、内部に予め準備されたマイクとイヤフォンを使って、補聴機能を提供する物である。これにより、緊急通報ペンダントのリソースを有効活用して、高齢者等に利用者が多い前記ペンダントの機能強化を実現することが出来る物である。
【０００７】
請求項２の発明は、通常（健康時）に補聴機能以外に、内蔵イヤフォンを使って、音楽やニュース等を聞いている時に体調が悪くなり、緊急通報ボタンを押した時に、今まで聞いていた音楽やニュースの音量を一時的にミュート又は、小音量まで絞ることを自動的に実現し、親機側からの問いかけの音声を聞き易くするものである。
【０００８】
請求項３の発明は、常時イヤフォンを使う利用者に快適な環境を提供するために、補聴機能だけでなく、通常時（健康時）内蔵イヤフォンを使って音楽再生ニュースなどを聞ける緊急通報ペンダントを実現する物である。
【０００９】
請求項４の発明は、親機子機間の通信有効距離から利用者が子機を持ってはずれようとした時に子機に有効通信範囲をはずれる事を通報する物である。親機又は子機から定期的に相手局の電波を確認し、子機が通信範囲から離れた時には通信有効範囲をはずれた事を知らせるアラームを子機で鳴動するものである。
【００１０】
【実施例】
（実施例１）
ここで、図を使って動作を説明する。
【００１１】
図は本発明の実施例１の緊急通報ペンダント型緊急通報装置のブロック図である。１０２は双方向通信機能を備えた緊急通報ペンダント型発報器である。１０３は親機である。利用者は常に１０２の緊急通報ペンダント型発報器を身につけて持ち歩いている。体調に異常が感じられると、緊急通報ペンダント型発報器の緊急発報手段２５を使って体調の異常を知らせる。緊急発報手段２５からの緊急信号は双方向無線通信手段１６により無線信号に変換され、親機１０３に届くことになる。
親機では、同じく、双方向無線通信手段１７により受信後復調され、異常表示手段２６により、利用者の異常を知らせる。
【００１２】
一般に親機は家人の何時も居る場所に設置されており、家人は利用者の異常を速やかに知ることができる。
【００１３】
本実施例の緊急通報ペンダントは、双方向通信手段１６、１７と双方向通話手段２２、２３を備えているから、親機との通話による意思疎通が可能になる。例えば、緊急通報を受けた場合、親機側から、「どうしたのどこか調子が悪いの、今何処なの」などと利用者に声をかけることができる。それによって、利用者も安心するし、家人としても、利用者の状況を知ることができると当時に、居場所が確認できるから、宅内なのか、外なのか  直ぐに駆けつける必要があるのかを知ることができる。
【００１４】
（実施例２）
３図は本発明の実施例２のヘンダント型緊急通報装置のブロック図である。実施例１とほぼ同様の構成であるが音量制御機能、エコーキャンセラーが更に追加されている。平常時は、マイク１０で周囲音を収集してマイクアンプ１２で増幅し、音声制御手段２２に導く、音声制御手段はマイクアンプでの出力を適当なレベルになるように調整し、スピーカーｏｒイヤフォンアンプ１３に導く、この結果周囲音を増幅して聞くことが出来るから、高齢者に発生しがちな難聴を補助することができる。この時に、加齢によって発生する高音域の聴感補正をおこなえば、周囲音を聞き安くすることが可能である。
【００１５】
緊急発生時には、利用者は、緊急発報手段２５を操作することで、無線送受信手段１６を介して親機に緊急情報を通報する。この時、緊急発報手段を操作すると、音声制御手段に制御信号を送り、スピーカー又はイヤフォンの音量を自動調整する。
【００１６】
（実施例３）
請求項３の緊急通報ペンダント型発報器について説明する。
【００１７】
これは、通常時に補聴機能を提供する代わりに音楽再生機能を提供する緊急通報ペンダントである。
【００１８】
図３に本案の緊急通報ペンダント型発報器のブロック図を示す。
【００１９】
基本構成は、請求項１の安全ペンダントのマイク、マイクアンプをメモリカード音楽再生手段に換えるだけでよい。
【００２０】
これは、利用者のニーズによって、別種類の機能を提供した安全ペンダントを提供するものである。
【００２１】
（実施例４）
請求項４の安全ペンダントは、安全ペンダントと親機間の距離を管理することで、親機と安全ペンダント間の通信距離を離れた場合安全ペンダントに通信範囲から離れたことを知らせる報知音を出すことで利用者に親機からの通信範囲からはずれたことを報知するものである。
【００２２】
図３を使って、動作を説明する。
【００２３】
親機１０５と安全ペンダント１０４の間は無線通信によりデータ通信を行い音声や緊急情報を伝送している、ペンダント側からの距離確認には、ペンダント側１０４の送受信手段１６が一定時間毎に緊急発報親機１０５に接続確認電波を発信する、すると緊急発報親機の送受信手段１７からは、応答電波が返送される。ペンダント側発報器は、この応答電波を確認している。
【００２４】
この応答電波が受信できなかった場合は、親機の電波の届かない範囲に移動したと判断し、ペンダント発報器内の異常発報手段からサービスエリア外警報信号を出力し、ペンダント型発報器側スピーカー又はイヤフォンアンプを駆動して、ペンダント型スピーカー又はイヤフォンにサービスエリア外警報信号を鳴動する物である。
【００２５】
上記例は、ペンダント型発報器から電波発信し、親機との通信状態を確認する方法であるが、親機側から、同じように一定時間毎に、検査信号を発信し、ペンダント型発報器側の受信手段で一定時間毎に親機の検査信号を捕捉できているかを確認する方法も考えられる。
【００２６】
親機、安全ペンダント間は、一定時間毎にポーリング通信を行い、リンク範囲内にあるかを確認する構成としておき、
（１）安全ペンダントからポーリングする場合にはポーリングして親機からの応答を確認できなかったら直ちに、親機の通信範囲から逸脱したことを知らせる。
【００２７】
（２）親機からポーリングする場合は、安全ペンダント側にタイマーを用意しておき、一定時間以内に親機からのポーリング受信が出来なかった時点で利用者に通信範囲をはずれたことを報知する構成にしておくことで、利用者は自分の行動範囲で親機との無線通信範囲を逸脱したかを把握することができる。
【００２８】
【発明の効果】
本発明は安全ペンダント側の音声を利用者にイヤフォンで伝える構成にしたことで、本体内蔵のマイクからの干渉を避け、緊急時には利用者と家人間で滞りなく音声会話ができ、定常時には本体マイクで集音した周囲の音をイヤフォンで増幅再生する補聴機能を持たせることで、高齢者にありがちな難聴を補助することが出来る物である。
【００２９】
更に、請求項３の用に補聴機能を提供するだけでなく音楽再生機能やラジオ等の機能を提供することで補聴機能を必要とする利用者だけでなく一般の利用者にも対応できるペンダント型アダプタを提供できる物である。
【図面の簡単な説明】
【図１】本発明の実施例１におけるペンダント型緊急通報装置の全体構成を表す図
【図２】本発明の実施例２におけるペンダント型緊急通報装置の全体構成を表す図
【図３】本発明の実施例４におけるペンダント型緊急通報装置の全体構成を表す図
【符号の説明】
１０  ペンダント型発報器側マイクロフォン
１１  ぺンダント型発報器側スピーカー又はイヤフォン
１２  ペンダント型発報器側マイクアンプ
１３  ペンダント型発報器側スピーカー又はイヤフォンアンプ
１４  ペンダント型発報器側無線送信手段
１５  親機側無線受信手段
１６  ペンダント型発報器側無線送受信手段
１７  親機側無線送受信手段
１８  親機側スピーカー又はイヤフォンアンプ
１９  親機側マイクアンプ
２１  親機側マイクロフォン
２２  ペンダント型発報器側エコーキャンセラー
２３  親機側エコーキャンセラー
２４  ペンダント型発報器音声切り替え手段
２５  異常発報手段
２６  異常表示手段
１０２  ペンダント型発報器
１０３  緊急発報装置親機
１０４  ペンダント型発報器
１０５  緊急発報装置親機
【図１】
2004185563.tif 000003
【図２】
2004185563.tif 000004
【図３】
2004185563.tif 000005